(57)【要約】      （修正有）【課題】柔軟性を有する連続気泡性プラスチックに止水性を備えた伸縮性フィルムを被覆させてなる通口扉であって、繰り返しの屈曲に耐える硬質性と人との接触を緩和する柔軟性を有すると共に表面に止水性とシボ模様を付与する。【解決手段】通口扉１は、芯金３の周囲をクッション性の発泡プラスチック４で形成した翼板２で囲み、該翼板２を、繰り返しの屈曲作用を加えても変形しない硬質性と人との接触による衝撃を緩和し得る軟質性とを備えた連続気泡性の発泡プラスチック４で形成し、該発泡プラスチック４の表面を、シボ加工によるシボ模様５を施した厚み１００μｍ以下の止水性と伸縮性を備えたプラスチックフィルム４で覆った。【選択図】図１
0003223164.tif 000002
【実用新案登録請求の範囲】
【請求項１】
芯金３の周囲をクッション性の発泡プラスチック４で形成した翼板２で囲み、
該翼板２を、繰り返しの屈曲作用を加えても変形しない硬質性と人との接触による衝撃を緩和し得る軟質性とを備えた連続気泡性の発泡プラスチック４で形成し、
該発泡プラスチック４の表面を、シボ加工によるシボ模様５を施した厚み１００μｍ以下の止水性と伸縮性を備えたプラスチックフィルム４で覆った、
ことを特徴とする通口扉１。
【請求項２】
請求項１記載の連続気泡性発泡プラスチック４の硬度を、ＪＩＳＫ７３１２規定による硬さ２０〜９０°としたとしたことを特徴とする通口扉。
【請求項３】
請求項１記載のプラスチックフィルムを、ジフェニルメタンジイソシアネートにポリエステル又はポリオールを結合させたウレタンフィルムとしたことを特徴とする通口扉。
【請求項４】
請求項１記載の連続気泡性の発泡プラスチックとプラスチックフィルムとの間に、中間層を介設したことを特徴とする通口扉。
【考案の詳細な説明】
【技術分野】
【０００１】
本考案は、柔軟性を有する連続気泡性プラスチックに止水性を備えた伸縮性フィルムを被覆させてなる通口用の扉に関する。
【背景技術】
【０００２】
従来、改札口等の通口に配される開閉自在な扉体は、閉鎖効果を備えるよう一定の強度が要求され、その強度と軽量性を有するよう発泡性プラスチックが用いられ、それには一定の硬さを備えた独立気泡性の発泡プラスチックが利用されるのが一般的である（特許文献１参照）。
しかし、この硬質性の発泡プラスチックでは、人が接触した場合に痛み等を与えてしまう虞があることから、より軟質として、衝撃を緩和したいという要請がある。そこで、この発泡性プラスチックを軟質性にするには、空気の流動性があり且つ気泡への圧縮に対しその圧力を逃がす効果が認められる連続気泡とすることが有効であると考えられる。
ところが、この連続気泡性のプラスチックは、気孔が連通することから止水性に劣るきらいがある。
従って、これをそのまま放置すると、発泡プラスチック内に水分が付着等すると、連続した気孔を通じてより内部へと入り込み、一旦入り込んだ水分は内に残留し、長い間にはカビ等の発生を招くおそれがある。
これは、人が接触する通口扉にあって、衛生上の問題を残す危険があり、決して好ましいものではない。
尚、特許文献１には、芯金の周囲を発泡ポリオレフィンで覆ったドッフラプの構造が記載されているが、発泡ポリオレフィンは連続気泡性のものではなく、上記問題を解決するものではない。
【先行技術文献】
【特許文献】
【０００３】
【特許文献１】特許第３３８５２６１号公報
【考案の開示】
【考案が解決しようとする課題】
【０００４】
本考案は、上記課題を解決しようとするもので、通口扉に柔軟性に優れた連続気泡性の発泡プラスチックを用いるものとし、その際、通口扉としての硬質性を兼備させると共に、欠点となる止水性等の問題を解消し、更に防滑性とデザイン性を備えた通口扉を提供しようとするものである。
【課題を解決するための手段】
【０００５】
本考案通口扉は、芯金の周囲をクッション性の発泡プラスチックで形成した翼板で囲み、該翼板を、繰り返しの屈曲作用を加えても変形しない硬質性と人との接触による衝撃を緩和し得る軟質性とを備えた連続気泡性の発泡プラスチックで形成し、該発泡プラスチックの表面を、シボ加工によるシボ模様を施した厚み１００μｍ以下の止水性と伸縮性を備えたプラスチックフィルムで覆ったことを特徴とする。
【０００６】
請求項２記載の通口扉は、連続気泡性発泡プラスチック４の硬度をＪＩＳＫ７３１２規定による硬さ２０〜９０°したとしたことを特徴とする。
【０００７】
請求項３記載の通口扉は、プラスチックフィルムをジフェニルメタンジイソシアネートにポリエステル又はポリオールを結合させたウレタンフィルムとしたことを特徴とする。
【０００８】
請求項４記載の通口扉は、連続気泡性の発泡プラスチックとプラスチックフィルムとの間に、双方に接着性を備えた中間層を介設したことを特徴とする。
【考案の効果】
【０００９】
例えば改札口に設けられる通口扉には、その開閉動に伴って、すり抜けようとする人との間で接触が起こる場合がある。するとそのとき、芯金との間で翼板が屈曲され、軟質の発泡プラスチックでは、それが強く変形され、これが繰り返されるとやがて肉質部が破損してしまう虞がある。このとき、本考案通口扉においては、発泡プラスチックを一定範囲の硬質とすることで、その屈曲変形を一定範囲内に抑え、耐久性を与えることができる。
【００１０】
通口扉の機能には、一旦人の通過を遮るべき役割があるので、もし開く前に人の身体が当たると、強い衝撃を起こし、痛み等の不快感を招くことがある。しかし、本考案においては、フラップ部が連続気泡性の柔軟性を備えた発泡プラスチックであるから、変形力に富み、痛み等の衝撃を緩和させることができる。
【００１１】
連続気泡性の発泡プラスチックは、止水性に欠けるきらいがあるが、本考案においては、フラップ部を高分子結合による強い結合性のあるプラスチックフィルムを被覆させた本考案フラップでは、高い止水性を発揮し、水及び空気の侵入を許さない。従って、連続した気孔を通じて水分が浸透する等の危険を防止することができ、黴等の微生物の発生を抑え、長期間使用しても衛生的な状態を保つことができる。
【００１２】
又、通口扉に防滑性等が求められたとき、そのプラスチックフィルムを１００μｍ以下の厚みとしたので、凹溝を刻んだ金型に対応したシボ加工ができ、皮革模様、梨地模様、木目模様等のシボ模様を形成することができる。改札口等の人目につき易い場所に設けられる通口扉にあって、単なる通過の遮蔽だけでなくデザイン性を発揮することができ、視覚的にも好ましいものとなる。
【００１３】
請求項２記載の通口扉は、連続気泡性発泡プラスチック４の硬度をＪＩＳＫ７３１２規定による硬さ２０〜９０°とすることで、上記屈曲変形に耐える硬質性と接触時の不快感を避け得る柔軟性とを兼備させることができる。
【００１４】
請求項３記載の通口扉は、プラスチックフィルムをジフェニルメタンジイソシアネートにポリエステル又はポリオールを結合させたウレタンフィルムすることでイソシアネート基結合による高い止水性と優れた伸縮性を発揮することができる。
【００１５】
請求項４記載の通口扉は、連続気泡性の発泡プラスチックとプラスチックフィルムとの間に中間層を介設することで、両者の密接性を高めると共に、耐候性、色彩性等を付与することができる。
【図面の簡単な説明】
【００１６】
【図１】本考案通口扉の一例を示す模式的断面図である。
【図２】本考案通口扉が使用者との接触で屈曲する状態の部分拡大断面図である。
【図３】本考案通口扉の表面に施されるシボ模様の部分拡大図である。
【考案を実施するための最良の形態】
【００１７】
本考案通口扉１は、改札口に設けられるもので、図１に示す如く、芯金３の周囲にクッション性の発泡プラスチックで囲まれた翼板２が配されてなる。
該芯金３は、端部が改札口に付設された回転軸に連結され、その軸を中心に開閉動するもので、鉄板等の金属製で構成される。該芯金３は、必ずしも全体を占める必要はなく、軽量化のために内部をくり抜いて貫通孔を突設しても良い。
該翼板２は、発泡プラスチック４で形成され、上記芯金３の周囲を覆った略四角形をなす。
この翼板２が改札口に左右対象に２枚配されて、上記回転軸に連結した芯金３の回転動で、人の通過と共に前後に開閉動するよう構成される。
【００１８】
上記通口扉１にあって、本考案で用いるクッション材としての翼板２は、繰り返しの屈曲作用を加えても劣化のしにくい硬質性とする。
即ち、通口扉は改札口で前後に開閉すると、通過する人との間で接触することが不可避であり、その頻度は、改札口の混雑状況によって異なるが、朝夕のラッシュ時等では、きわめて回数の多いものとなる。
このとき、翼板２には、図２に示す如く、人の通過する力によって扉板に直交する方向のベクトルが働き、芯金３の端部を境として、これを屈曲させる力が加わる。
すると、翼板２内部に応力が生じ、翼板２があまりに軟質であると、芯金３基端部付近を中心に屈曲作用が加わり、これが相当の頻度でくり返されると、切り裂き、破れ、座屈等により、内部に亀裂等が発生するおそれが生じる。
そこで本考案翼板２は、この屈曲作用に耐えるよう変形のしにくい硬質性とし、長期間の屈曲に耐え得るものとする。
この硬質性を備えた発泡プラスチック４の例として、ＪＩＳＫ７３１２でその硬度が２０°以上のものを挙げることができる。
この範囲では、上記負荷圧に抗して劣化を避けることができ、亀裂等の発生を阻止できる硬さとなる。
【００１９】
一方、上記翼板２は、人との接触によって起こる衝撃を緩和して、痛み等の不快感を起こさせない軟質性を備えたものとする。
上記の通り、改札口での通口扉にあっては、翼板２に人が接触する危険が避けられず、ここに扉としてのブロック機能を求めるあまり過度に硬質性とすると、ぶつかったときの衝撃で、痛み等の不快感を利用者から訴えられるおそれがある。
そこで本考案では、上記翼板２を人との接触による衝撃を緩和し得る軟質性を備えたものとするが、その柔軟性を独立気泡によらない連結気泡性の発泡プラスチック４によるものとする。
【００２０】
独立気泡性の発泡プラスチックは、気泡が封鎖されているので負荷が加わった場合の変形量にも一定の限界があり硬質性となるが、一方、連続気泡性では、一部の気泡に圧力が加わっても、より柔軟性に富んだものとなる。
これは、人との接触で圧力が加わった場合、内部の空気が連通孔を介して他方に移動し、この空気の移動によって翼板２形が変形し易く、この変形が衝撃を吸収するように働くからである。
この衝撃吸収性により、人が接触しても、圧迫を避けて不快感を覚えさせないものとなる。
この柔軟性を備えたものとして、ＪＩＳＫ７３１２規定による硬さ９０°以下の弾性を備えた発泡プラスチックとする。
【００２１】
上記屈曲に耐える硬質性と接触時の不快感を避け得る柔軟性を備えるものとして、ＪＩＳＫ７３１２規定による硬さ２０〜９０°の発泡プラスチックを挙げることができる。
【００２２】
さて、上記柔軟性を備える連結気泡性の発泡プラスチックとしたとき、それは止水性に欠けるきらいがある。
即ち、独立気泡性の発泡体は気泡内空間が封鎖されている分、止水性に満ちたものとなるが、一方で、連続気泡性のものは、気泡に連通孔が連っている分、どこかに入り込んだ水分はその連通孔を介してより内部へと侵入し易い。そして、水分が一旦内部に侵入すると、長い間にはカビ、細菌等の微生物の発生を招くおそれがある。
これは、人が接触する通口扉にあっても決して好ましいものではなく、衛生上の問題を残す。
そこで、本考案では、上記翼板２の表面を止水性と伸縮性を備えたプラスチックフィルム５で覆うものとする。
具体的には、ジフェニルメタンジイソシアネートにポリエステル又はポリオールを結合させたウレタンフィルムとすることができる。
該ウレタンフィルムで翼板２の表面を覆うと、該フィルムは重合度が高く、且つ、イソシアネート基の強い結合で密閉性を備えたものとなり、強い止水性を発揮するものとなる。
同時に、ウレタン結合による弾性を有するので、翼板２が変形を起こした場合にも、その変形に追随し得る伸縮性を備え、クッション材としての機能を失わない。
【００２３】
このとき止水性のフィルムは、その密閉性ゆえに、上記連続気泡の空気の移動性を抑制してしまう傾向がある。
つまり、人との接触で発泡プラスチック４に圧力が加わった場合、空気が移動して変形を可能とするはずであるが、外側にフィルムを被せると、その密閉性が空気を閉じ込めて移動を制限することになる。
しかし、上記の如く、弾性を備えた発泡プラスチック４は、圧力を受けた部位ではいったん凹み、次いで空気は圧力でより外側へと移動し、それが最も外側に達したとき、フィルムを押すことになる。すると、該フィルムは、伸縮性を備えるプラスチックフィルムなので、若干外膨らみ状に変形し、やがて一定の強さでこれを阻止するよう作用する。
これによって、接触する部位で生じた衝撃を吸収する一方で、一定以上の変形を抑制するものとなり、通口扉としての柔軟性と形態性を維持する機能を兼備したものとなる。
【００２４】
更に、通口扉１には、防滑性とデザイン性が求められる。
即ち、通口扉はドア機能として人の通過を阻止するものであるから、あまりにツルツルの鏡面仕上げとして、容易にすり抜け可能とすることは適切でない。一定の摩擦による滑り止め効果が求められる。
又、改札口の人目に触れるところに用いられるものあるから、機能性ばかりでなく、デザイン性も重要となる。
この２つの要求に応えるものとして、一定の凹溝を備えたシボ模様を備えたもの、例えば、皮革模様、梨地模様、木目模様、岩目模様、布地模様、幾何学模様が挙げられる。
そこで本考案では、図３に示す如く、上記フィルムを１００μｍ以下の薄手のものとし、金型に溝を刻んでシボ加工を施してシボ模様６を形成する。
【００２５】
シボ加工とは、上記通口扉の表面に皮革模様等のシボ模様６を表出する加工をいい、本考案では、上下金型のうちいずれか一方又は双方の金型の表面に皮革模様等のシボ模様６を凹溝として刻み、その凹溝の刻設された金型にプラスチックフィルム４及び発泡プラスチック４を宛がって表出する加工によってこれを表出する。
このとき、該プラスチックフィルム５は、伸縮性で且つ１００μｍ以下の厚みとすることで溝の凹みに追随し、上記シボ模様６の大きさ、形状を表出できるフィルム体とする。
【００２６】
以上の如き本考案によって、芯金の周囲を繰り返しの屈曲作用を加えても変形しない硬質性と人との接触による衝撃を緩和し得る軟質性とを備えた連続気泡性の発泡プラスチックのクッション材で形成した通口扉が得られる。
このとき、その表面を止水性と伸縮性を備えたプラスチックフィルムで覆うことで、連続気泡性の発泡プラスチックに高い止水性を与えることができる。
同時に、該プラスチックフィルムの厚みを１００μｍ以下とすることで、フィルム本来の伸縮性と薄さにより、金型に刻んだシボ模様の凹溝に無理なく追随させることができ、通口扉の表面を皮革模様等のシボ模様を施した防滑性とデザイン性に優れた通口扉を得ることができる。
【符号の説明】
【００２７】
１    通口扉
２    翼板
３    芯金
３ａ  貫通孔
４    発泡プラスチック
５  プラスチックフィルム
６  シボ模様
【図１】
0003223164.tif 000003
【図２】
0003223164.tif 000004
【図３】
0003223164.tif 000005